(57)【要約】【課題】軽量の乾燥対象物を干す通常の機能の他に、枕やクッションのような比較的大形で重量の大きい物を干す機能も備えた多用途ハンガーを提供する。【解決手段】平行する２本の物干し竿１５上に跨った状態で載置されるハンガーフレーム２の上面に、乾燥対象物を載置して干すための載置面６を形成すると共に、該ハンガーフレーム２の下面に、乾燥対象物を吊して干すための複数のピンチ８を設け、かつ、上記ハンガーフレーム２の長さ方向一端寄りの位置に、一方の物干し竿１５に係止する係止部５Ａ，５Ｂを設ける。【選択図】        図１
2004267459.tif 000002
【特許請求の範囲】
【請求項１】
平行する２本の物干し竿上に跨った状態で載置されるハンガーフレームの上面に、乾燥対象物を載置して干すための載置面を形成すると共に、該ハンガーフレームの下面に、乾燥対象物を吊して干すための複数のピンチを設け、かつ、上記ハンガーフレームの長さ方向一端寄りの位置に、一方の物干し竿に係止させるための係止部を設けたことを特徴とする多用途ハンガー。
【請求項２】
上記係止部が、上記ハンガーフレームの長さ方向の異なる位置に複数形成されていることを特徴とする請求項１に記載の多用途ハンガー。
【請求項３】
上記ハンガーフレームが、実質的に矩形形状をした外周枠と、この外周枠内に張り渡された補強枠とからなっていて、上記外周枠における左右の枠辺の下面にそれぞれ凹部が形成され、これらの凹部によって上記係止部が形成されていることを特徴とする請求項１又は２に記載の多用途ハンガー。
【請求項４】
上記ハンガーフレームが、上記載置面上に載置した乾燥対象物の落下を防止するためのガードを有すると共に、上記ピンチが、上記載置面上に反転させて該載置面上の乾燥対象物を摘持可能なるように構成されていることを特徴とする請求項１から３までの何れかに記載の多用途ハンガー。
【請求項５】
上記ガードが、上記ハンガーフレームの左右両側端部から上面側に突出する位置に該ハンガーフレームと平行に形成された横桟であることを特徴とする請求項４に記載の多用途ハンガー。
【請求項６】
上記ハンガーフレームに、上記物干し竿を掴むための掴み具が設けられていることを特徴とする請求項１から５までの何れかに記載の多用途ハンガー。
【発明の詳細な説明】
【０００１】
【発明の属する技術分野】
本発明は、下着や靴下あるいはタオルといったような軽量の洗濯物等を干す通常の機能の他に、枕やクッションのような比較的重量の大きい物を干す機能をも備えた多用途ハンガーに関するものである。
【０００２】
【従来の技術】
一般家庭で洗濯物を干すのに使用されるハンガーは、通常、矩形のハンガーフレームの下面に複数のピンチを鎖や紐等で吊り下げた状態に取り付けると共に、ハンガーフレームの上面に吊り掛け用のフックを取り付けた構造を有していて、このフックを物干し竿に吊り掛けた状態で、上記各ピンチに洗濯物を吊して干すようにしている。
【０００３】
ところが、このような従来のハンガーで干すことができる洗濯物は、下着や靴下又はタオルといったような、上記ピンチで吊り下げることができる程度に小形で軽量なものに限られ、例えば枕やクッションといったような比較的大形で重量の大きいものは干すことができない。そこで、このような枕やクッションなどは別の場所に干すようにしているが、適当な干し場所を確保するのに困ることが多く、それらが通行や他の作業の邪魔になる場合もある。上記ハンガーを利用してこれらの枕やクッション等を通常の洗濯物と一緒に干すことができれば、このような問題は全て解消され、それらを干す際や取り込む際の取り扱いも非常に楽になる。
【０００４】
【発明が解決しようとする課題】
本発明の技術的課題は、下着や靴下あるいはタオルといったような軽量の乾燥対象物を干す通常の機能の他に、枕やクッションのような比較的大形で重量の大きい物を干す機能も備えた、多用途ハンガーを提供することにある。
【０００５】
【課題を解決するための手段】
上記課題を解決するため、本発明によれば、平行する２本の物干し竿上に跨った状態で載置されるハンガーフレームの上面に、乾燥対象物を載置して干すための載置面を形成すると共に、該ハンガーフレームの下面に、乾燥対象物を吊して干すための複数のピンチを設け、かつ、上記ハンガーフレームの長さ方向一端寄りの位置に、一方の物干し竿に係止させるための係止部を設けたことを特徴とする多用途ハンガーが提供される。
【０００６】
上記構成を有する本発明のハンガーは、平行する２本の物干し竿上にそれらに跨った状態で載置し、いずれか一方の物干し竿を係止部に嵌合させることによって位置決めする。そして、上記ピンチには、通常通り下着や靴下又はタオル等の小形で軽量な乾燥対象物を吊り下げて干し、ハンガーフレーム上面に形成された載置面には、枕やクッション等の比較的大形で重量の大きい乾燥対象物を載置して干すようにする。これにより、一つのハンガーで、下着や靴下等の小形の洗濯物や、枕やクッションのような大形で重量の大きい物を干すことができる。
【０００７】
本発明においては、上記係止部が、上記ハンガーフレームの長さ方向の異なる位置に複数形成されている。これにより、ハンガーを、間隔が異なる物干し竿上に載置する場合でも、ピンチの位置と物干し竿の位置とが相互に重複しないように位置調整して載置することができる。
【０００８】
また、本発明においては、上記ハンガーフレームが、実質的に矩形形状をした外周枠と、この外周枠内に張り渡された補強枠とからなっていて、上記外周枠における左右の枠辺の下面にそれぞれ凹部が形成され、これらの凹部によって上記係止部が形成されている。
【０００９】
さらに、本発明においては、上記ハンガーフレームが、上記載置面上に載置した乾燥対象物の落下を防止するためのガードを有すると共に、上記ピンチが、上記載置面上に反転させて該載置面上の乾燥対象物を摘持可能なるように構成されていることが望ましく、これにより、乾燥対象物をより安定的に載置面上に載置することができる。この場合、上記ガードが、上記ハンガーフレームの左右両側端部から上面側に突出する位置に該ハンガーフレームと平行に形成された横桟であることが望ましい。
【００１０】
また、本発明においては、上記ハンガーフレームに、上記物干し竿を掴むための掴み具が設けられていることが望ましい。
【００１１】
【発明の実施の形態】
以下、本発明好ましい実施形態について詳細に説明する。図１から図３は本発明に係る多用途ハンガーの第１実施例を示すものであり、この第１実施例のハンガー１Ａは、ハンガーフレーム２と、該ハンガーフレーム２の下面に取付けられた複数のピンチ８と、上記ハンガーフレーム２における長さ方向の一端寄りの位置に設けられた複数の係止部５Ａ，５Ｂとを有している。
【００１２】
上記ハンガーフレーム２は、平行する２本の物干し竿１５，１５上に跨った状態で載置されるもので、一方向に長い実質的に矩形形状をした外周枠３と、この外周枠３内に張り渡された補強枠４とで構成されている。上記補強枠４は、外周枠３の長さ方向に相互に平行に延びる複数の縦枠部材４ａと、該縦枠部材４ａと直交する方向、即ち外周枠３の幅方向に相互に平行に延びる複数の横枠部材４ｂとで格子状に形成されていて、これらの補強枠４と外周枠３とが合成樹脂で一体に成形されている。
【００１３】
上記ハンガーフレーム２の上面には、上記外周枠３及び補強枠４によって、枕やクッションなどの比較的大形で重量の大きい乾燥対象物１２を載置して干すための載置面６が形成されている。したがって、上記補強枠４の縦枠部材４ａと横枠部材４ｂは、このような乾燥対象物１２が隙間から脱落しない程度の間隔で配設されている。
【００１４】
また、上記ハンガーフレーム２には、上記載置面６上に載置した乾燥対象物１２の落下を防止するための複数のガード７が設けられている。これらのガード７は、上記外周枠３の長さ方向の左右の枠片３ａに２個づつ配設されていて、ハンガーフレーム２の側端部から上面側に突出して該ハンガーフレーム２と平行に形成された横桟を有している。即ち、各ガード７は、外周枠３の外側面から上方に向けて上記載置面６よりも高く突出する断面略Ｌ字形の一組の脚壁部７ａ，７ａと、これら脚壁部７ａ，７ａ間に、上記外周枠３の枠片３ａと平行に架け渡された横桟部７ｂとで構成され、全体として外周枠３と一体に形成されている。
【００１５】
上記ピンチ８は、洗濯物を摘持する一対の摘持部材８ａを略Ｃ字形の弾性部片８ｂで摘持方向に弾発したもので、上記ハンガーフレーム２の外周枠３と補強枠４とに吊下げ部材９により所要の配列で吊り下げられている。
【００１６】
上記吊下げ部材９は、両端が相互に逆向きのフックとなっている略Ｓ字状をした複数の鎖片９ａを、フック同士を係止させることにより直列に連結し、部材全体として自由に折曲できるように構成したもので、該吊下げ部材９の下端側のフックを上記ピンチ８に引っ掛け、該吊下げ部材９の上端側のフックを、上記外周枠３と補強枠４の縦枠部材４ａの側面に一体に設けた環状の係止部１０に上下反転自在に引っ掛けている。そして、これにより上記各ピンチ８が、ハンガーフレーム２の外周枠３と縦枠部材４ａ及び横枠部材４ｂとで区画された空間を通じて載置面６上にそれを反転させることにより、この載置面６の乾燥対象物１２を摘持させることができるように構成されている。
【００１７】
上記係止部５Ａ，５Ｂは、上記ハンガーフレーム２の外周枠３の下面の、一方の物干し竿１５が横切る位置に、該ハンガーフレーム２の長さ方向の異なる位置を占めるように２つ設けられている。そして、何れか一方の係止部５Ａ又は５Ｂを一方の物干し竿１５に係止させることにより、上記ハンガー１Ａが２つの物干し竿１５，１５上で位置ずれしたり脱落したりするのを防止し、安定的な載置を図るものである。
【００１８】
さらに詳しく説明すると、上記２つの係止部５Ａ及び５Ｂは、それぞれ、上記外周枠３における左右両枠辺３ａ，３ａの下面の相対する位置に形成された、左右２つの凹部５ａ，５ａ及び５ｂ，５ｂにより構成されている。これらの凹部５ａ，５ａ及び５ｂ，５ｂは、上記枠片３ａ，３ａから下向きに突出する３つの隔壁１１の間に形成されていて、第２凹部５ｂ，５ｂが第１凹部５ａ，５ａよりもハンガーフレーム２の端部寄りに位置している。換言すれば、第２係止部５Ｂがハンガーフレーム２の端部寄りに位置し、第１係止部５Ａがそれより内側に位置している。また、これらの第１係止部５Ａと第２係止部５Ｂとの設置間隔は、上記ピンチ７の配列間隔と大きさが異なっており、これにより、一方の物干し竿１５をこれら２つの係止部５Ａ，５Ｂの何れかに選択的に嵌合させることにより、他方の物干し竿１５が必ずピンチ８と重ならない位置でハンガーフレーム２を横切るようになっている。
【００１９】
上記構成を有する多用途ハンガー１Ａは、平行する２本の物干し竿１５，１５上に跨った状態で載置し、一方の物干し竿１５を２つの係止部５Ａ，５Ｂの何れか一方に嵌合させることにより、位置決めをする。そして、上記ピンチ８に下着や靴下又はタオル等の小形で軽量な洗濯物（乾燥対象物）を吊り下げて干し、ハンガーフレーム２の上面に形成された載置面６には、枕やクッション等の比較的大形で重量の大きい乾燥対象物を載置して干すようにする。
【００２０】
このとき、上記載置面上の乾燥対象物は、ガード７によってこの載置面から落下するのが防止されるが、風が強いようなときは、上記ピンチ８を載置面６上に反転させて該乾燥対象物を摘持させることにより、風でこの乾燥対象物が吹き飛ばされるのを確実に防止することができる。しかも、上記載置面６上に重量の大きい物が載置されることにより、ハンガー１Ａ全体の重量が増大し、かえって該ハンガー１Ａの物干し竿１５，１５上での姿勢が安定することになる。
【００２１】
かくして、上記ハンガー１Ａは、下着や靴下又はタオル等の小形で軽量な乾燥対象物であっても、枕やクッション等の比較的大形で重量の大きい乾燥対象物であっても、共通のハンガーによってそれらを干すことができる。
【００２２】
上記第１実施例では、ハンガーフレーム２の外周枠３を矩形形状に形成しているが、これ以外の形状、例えば楕円形や円形などの任意の形状であってよい。また、上記補助枠４は、格子状に配設した縦枠部材４ａと横枠部材４ｂとで形成されているが、必ずしもこのような格子状に構成する必要はなく、枠部材を任意のパターンで配設して形成しても、有孔又は無孔のパネル状に形成することもできる。要するに、ハンガーフレーム２の上面に上記載置面を形成することができ、かつ、該載置面上の乾燥対象物が落下しないような構造を有していれば良いのである。
【００２３】
また上記第１実施例では、ガード７が外周枠３の左右の長尺の枠片に２つずつ設けられていているが、このガード７の数はいくつであってもよい。さらに、外周枠３の短尺の枠片に設けてもよい。
【００２４】
さらに、上記第１実施例では、ピンチ８を支持する吊下げ部材９が、略Ｓ字形の鎖片９ａを複数直列に連結して形成されているが、この吊下げ部材９は、柔軟な紐状の部材であれは、その他の形態のものであっても良い。
【００２５】
図４はハンガーの第２実施例を示すもので、このハンガー１Ｂは、物干し竿１５を掴むための掴み具１６を有する点が、上記第１実施例のハンガー１Ａと異なっている。
【００２６】
上記掴み具１６は、上記係止部５Ａ又は５Ｂに係止する物干し竿１５を掴み、強風等によってハンガー１Ｂが物干し竿１５，１５上から落下するのを防止するもので、物干し竿１５が嵌合可能な大きさを有する円弧状の先端部１７ａと、開閉操作用の基端部１７ｂとを有する一対の摘持部材１７，１７を、ピン１８で開閉操作自在なるように連結し、それらをばね１９で上記先端部１７ａが閉じる方向に弾発することにより形成されている。そして、この掴み具１６が、上記ピンチ８の場合と同様の吊下げ部材９により、外周枠３の両枠辺３ａ，３ａの上記係止部５Ａ又は５Ｂに近い位置にそれぞれ吊り下げられ、上記物干し竿１５を２カ所で掴むようになっている。しかし、上記具１６は、一方の枠辺３ａだけに設けても良い。
【００２７】
なお、この第２実施例において、上記掴み具１６以外の構成は基本的に上記第１実施例と同じあるため、同じ構成部分に第１実施例と同じ符号を付してその説明は略する。
【００２８】
図４に示す第２実施例の場合、上記掴み具１６は、上記係止部５Ａ又は５Ｂの近くに設けられていて、これらの係止部に係止する物干し竿１５を掴むようになっているが、この掴み具１６を、上記ハンガーフレーム２の上記係止部５Ａ，５Ｂ側とは反対側の端部近くに設け、これらの係止部に係止しない方の物干し竿を掴むように構成することもできる。あるいは、上記掴み具１６をハンガーフレーム２の両端部近くにそれぞれ設け、両方の物干し竿１５を握持させるように構成してもよい。
なお、上記掴み具１６は、物干し竿１５の握持だけでなく、乾燥対象物の摘持にも使用できることはもちろんである。
【００２９】
【発明の効果】
以上に詳述したように、本発明の多用途ハンガーによれば、平行する２本の物干し竿上に跨った状態に載置して使用するように構成すると共に、洗濯物を吊り下げるためのピンチの他に、ハンガーフレームの上面に乾燥対象物の載置面を設けたので、下着や靴下又はタオル等の小形で軽量な洗濯物は通常のハンガーのように上記ピンチに吊り下げて干し、従来のハンガーでは干すことができなかった枕やクッション等の比較的大形で重量の大きい乾燥対象物は、上記載置面に載置して干すことができるという利点がある。
【図面の簡単な説明】
【図１】本発明に係る多用途ハンガーの第１実施例を示す斜視図である。
【図２】図１の正面図である。
【図３】図２の平面図である。
【図４】本発明に係る多用途ハンガーの第２実施例を示す斜視図である。
【符号の説明】
１      ハンガー
２      ハンガーフレーム
３      外周枠
３ａ      枠片
４      補強枠
５Ａ，５Ｂ      係止部
５ａ，５ｂ      凹部
６      載置面
７      ガード
８      ピンチ
１５      物干し竿
１６      掴み具
【図１】
2004267459.tif 000003
【図２】
2004267459.tif 000004
【図３】
2004267459.tif 000005
【図４】
2004267459.tif 000006